(57)【要約】【課題】撮影に必要な情報を適切にユーザに通知することを目的とする。【解決手段】被写体を透過した放射線の強度分布を画像化する撮影手段と、撮影手段の処理に係る撮影情報を記憶する記憶手段と、撮影情報を表示する表示手段と、記憶手段及び表示手段に電源を供給する第１の電源手段と、撮影手段に電源を供給する第２の電源手段とを有し、記表示手段は、第２の電源手段がオンの状態及びオフの状態のいずれの場合においても、第１の電源手段から電源の供給を受けて、撮影情報を表示する。【選択図】図２
2017192504.tif 000002
【特許請求の範囲】
【請求項１】
被写体を透過した放射線の強度分布を画像化する撮影手段と、
前記撮影手段の処理に係る撮影情報を記憶する記憶手段と、
前記撮影情報を表示する表示手段と、
前記記憶手段及び前記表示手段に電源を供給する第１の電源手段と、
前記撮影手段に電源を供給する第２の電源手段と
を有し、
前記表示手段は、前記第２の電源手段がオンの状態及びオフの状態のいずれの場合においても、前記第１の電源手段から電源の供給を受けて、前記撮影情報を表示することを特徴とする放射線撮影装置。
【請求項２】
前記第１の電源手段及び前記第２の電源手段に給電するバッテリをさらに有することを特徴とする請求項１に記載の放射線撮影装置。
【請求項３】
前記第１の電源手段に給電する第１のバッテリと、
前記第１の電源手段及び前記第２の電源手段に給電する第２のバッテリと
をさらに有することを特徴とする請求項１に記載の放射線撮影装置。
【請求項４】
前記第１の電源手段に給電する第１のバッテリをさらに有し、
前記放射線撮影装置に着脱可能な第２のバッテリが前記放射線撮影装置に装着されている場合に、前記第１の電源手段及び前記第２の電源手段は、前記第２のバッテリから給電され、前記第２のバッテリが装着されていない場合に、前記第１の電源手段は、前記第１のバッテリから給電されることを特徴とする請求項１に記載の放射線撮影装置。
【請求項５】
前記第１の電源手段は、前記第２の電源手段を介して前記第１のバッテリから給電されることを特徴とする請求項４に記載の放射線撮影装置。
【請求項６】
前記第１のバッテリは、前記第２のバッテリが前記放射線撮影装置に装着されている場合に、前記第２のバッテリから給電されることを特徴とする請求項４又は５に記載の放射線撮影装置。
【請求項７】
前記第１のバッテリは、前記第１の電源手段及び前記第２の電源手段を介して前記第２のバッテリから給電されることを特徴とする請求項６に記載の放射線撮影装置。
【請求項８】
前記表示手段は、前記第２の電源手段がオフの状態でかつ所定の条件を満たす場合に、前記撮影情報を表示することを特徴とする請求項１乃至７何れか１項に記載の放射線撮影装置。
【請求項９】
前記放射線撮影装置の移動を検出する検出手段をさらに有し、
前記表示手段は、前記放射線撮影装置の移動が検出された場合に、前記撮影情報を表示することを特徴とする請求項８に記載の放射線撮影装置。
【請求項１０】
前記放射線撮影装置の周囲の人物を検出する検出手段をさらに有し、
前記表示手段は、前記放射線撮影装置の周囲に人物が検出された場合に、前記撮影情報を表示することを特徴とする請求項８に記載の放射線撮影装置。
【請求項１１】
前記放射線撮影装置が充電装置から取り外されたことを検出する検出手段をさらに有し、
前記表示手段は、前記放射線撮影装置が前記充電装置から取り外されたことが検出された場合に、前記撮影情報を表示することを特徴とする請求項８に記載の放射線撮影装置。
【請求項１２】
前記撮影情報は、前記放射線撮影装置に記録されている放射線画像の枚数、前記放射線撮影装置が記録可能な放射線画像の枚数、バッテリの残容量、前記放射線撮影装置に生じたエラーに関する情報、前記放射線撮影装置に生じた故障に関する情報のうち少なくとも１つを含むことを特徴とする請求項１乃至１１何れか１項に記載の放射線撮影装置。
【請求項１３】
前記表示手段は、前記撮影情報を表示するユーザ操作を受け付けた場合に、前記撮影情報を表示し、前記撮影情報を表示するユーザ操作を受け付けなかった場合には、前記撮影情報を表示しないことを特徴とする請求項１乃至１２何れか１項に記載の放射線撮影装置。
【請求項１４】
前記放射線撮影装置の複数の撮影モードのうち、コンソールと通信不可能な状態で撮影を行う撮影モードに設定する設定手段をさらに有することを特徴とする請求項１に記載の放射線撮影装置。
【請求項１５】
前記表示手段は、前記コンソールと通信不可能な状態で撮影を行う撮影モードに設定されている場合に、前記撮影情報を表示することを特徴とする請求項１４に記載の放射線撮影装置。
【請求項１６】
前記表示手段は、前記コンソールと通信可能な状態においては、前記撮影情報を表示しないことを特徴とする請求項１５に記載の放射線撮影装置。
【請求項１７】
被写体を透過した放射線の強度分布を画像化する撮影手段と、
前記撮影手段の処理に係る撮影情報を記憶する記憶手段と、
前記撮影情報を表示する表示手段と、
前記記憶手段及び前記表示手段に電源を供給する第１の電源手段と、
前記撮影手段に電源を供給する第２の電源手段と
を有する放射線撮影装置が実行する制御方法であって、
前記第２の電源手段がオンの状態及びオフの状態のいずれの場合においても、前記第１の電源手段から電源の供給を受けて、前記撮影情報を表示するステップを含むことを特徴とすることを特徴とする制御方法。
【発明の詳細な説明】
【技術分野】
【０００１】
本発明は、放射線撮影装置及び制御方法に関する。
【背景技術】
【０００２】
従来、放射線画像を撮影する放射線撮影装置が知られている。放射線撮影装置は、取得した放射線画像データを表示・確認のためにコンソールへ転送する。一方で、放射線撮影装置は、撮影毎に画像データの転送を行わず、放射線撮影装置単体で撮影を行うことも可能である。この場合、放射線画像データを放射線撮影装置内のメモリに保持しておき、撮影終了後に、コンソールと接続して画像を転送して表示・確認を行う撮影方法が行われる場合もある。この放射線撮影装置単体での撮影方法では、撮影した画像の即時確認ができないというデメリットがある一方で、撮影時にコンソールを持ち運ばなくてよいというメリットがある。
【０００３】
放射線撮影装置単体で撮影を実施する場合は、重要な情報を放射線撮影装置自身で表示する必要がある。重要な情報とは、例えば、バッテリの残量、撮影可能な枚数、または内部のメモリの残容量などを指す。特許文献１には、放射線撮影装置内の状態を表示する表示手段を備える放射線撮影装置が開示されている。
【先行技術文献】
【特許文献】
【０００４】
【特許文献１】特開２０１２−７０８７９号公報
【発明の概要】
【発明が解決しようとする課題】
【０００５】
しかしながら、ユーザは、放射線撮影装置の電源が入った状態でしか前述の重要な情報を見ることができない。このため、ユーザは、コンソールやバッテリの充電装置から離れた場所に放射線撮影装置をもって移動した後に、装置の電源を入れ、バッテリの残量やメモリの残容量などが不足していることに気づく可能性がある。この場合に、ユーザはコンソール等のある場所と撮影場所とを往復する作業が発生し、撮影の効率が悪くなるおそれがある。
【０００６】
本発明はこのような問題点に鑑みなされたもので、撮影に必要な情報を適切にユーザに通知することを目的とする。
【課題を解決するための手段】
【０００７】
そこで、本発明は、放射線撮影装置であって、被写体を透過した放射線の強度分布を画像化する撮影手段と、前記撮影手段の処理に係る撮影情報を記憶する記憶手段と、前記撮影情報を表示する表示手段と、前記記憶手段及び前記表示手段に電源を供給する第１の電源手段と、前記撮影手段に電源を供給する第２の電源手段とを有し、前記表示手段は、前記第２の電源手段がオンの状態及びオフの状態のいずれの場合においても、前記第１の電源手段から電源の供給を受けて、前記撮影情報を表示する。
【発明の効果】
【０００８】
本発明によれば、撮影に必要な情報を適切にユーザに通知することができる。
【図面の簡単な説明】
【０００９】
【図１】第１の実施形態に係る放射線撮影システムを示す図である。
【図２】第１の実施形態に係る放射線撮影装置を示す図である。
【図３】第２の実施形態に係る放射線撮影装置を示す図である。
【図４】第２の実施形態に係る放射線撮影装置の説明図である。
【図５】第３の実施形態に係る放射線撮影装置を示す図である。
【発明を実施するための形態】
【００１０】
以下、本発明の実施形態について図面に基づいて説明する。
（第１の実施形態）
図１は、第１の実施形態に係る放射線撮影システム１００を示す図である。放射線撮影システム１００は、複数の撮影モードで撮影を実行可能である。ここで、複数の撮影モードは、第一の撮影モードと、第二の撮影モードを少なくとも有する。第一の撮影モードは、放射線撮影装置１０１とコンソール１１１の間で、有線あるいは無線での通信可能な状態で撮影を行う撮影モードである。第一の撮影モードにおいて、放射線撮影装置１０１は、取得した放射線画像を、撮影毎にコンソール１１１に転送するための制御を行う。コンソール１１１は、転送された放射線画像を表示部１１２に表示させる。第二の撮影モードは、放射線撮影装置１０１とコンソール１１１の間で、有線及び無線いずれにおいても通信不可能な状態で撮影を行う撮影モードである。放射線撮影装置１０１は、取得した放射線画像を、撮影毎にコンソール１１１に転送せず画像メモリ２０８に蓄積し、まとめてコンソール１１１に転送する。
【００１１】
ここで、第一の撮影モードは、同期撮影モードと非同期撮影モードを少なくとも含む。同期撮影モードは、放射線撮影装置１０１と放射線発生装置１０５との間で撮影タイミングを合わせるための電気的な同期信号などをやり取りする撮影モードである。ここで、撮影タイミングを合わせるとは、放射線の照射のタイミングと、放射線検出器１１が電荷を蓄積させる期間とを合わせることを示す。非同期撮影モードは、放射線撮影装置１０１と放射線発生装置１０５との間で、同期信号をやりとりせず、放射線撮影装置１０１自身が放射線の入射を検知し電荷の蓄積を開始する撮影モードである。
【００１２】
第二の撮影モードは、放射線撮影装置１０１自身が放射線の入射を検知し、撮影毎に放射線画像をコンソール１１１に転送せず、放射線撮影装置１０１内の画像メモリ２０８に放射線画像を記憶する撮影モードである。そのため、放射線撮影装置１０１がコンソール１１１から独立した状態で複数枚の放射線画像を撮影可能なモードともいえる。
【００１３】
本実施形態においては、放射線撮影装置１０１が、コンソールと接続しない撮影方法（第二の撮影モード）で撮影を実施する場合について説明する。図１（ａ）は、放射線撮影としての放射線撮影を行う際の構成例を示す図である。撮影を行う場合、撮影者等のユーザが、撮影を行う場所に放射線撮影装置１０１を持っていき、放射線撮影装置の一例である放射線撮影装置１０１と放射線管球１０２との間に被検者Ａを配置する。そして、ユーザの操作に応じて、制御装置１０４から放射線発生装置１０５へ所望の条件となる照射指示を送り、放射線を照射する。放射線撮影装置１０１は、放射線管球１０２から照射され、被写体としての被検者Ａを透過した放射線（放射線）の強度分布を画像化することにより、放射線画像を取得する。
【００１４】
続けて撮影を行う場合は、ユーザは、再度、放射線撮影装置１０１を撮影可能な状態とし、同様の手順で次の放射線画像の取得を続ける。本撮影を回診車等を用いて実施する場合には、放射線管球１０２、放射線発生装置１０５、制御装置１０４は一台の回診車で構成される場合もある。
【００１５】
図１（ｂ）は、放射線撮影を行った後、コンソール１１１と接続して画像を転送・確認する際の構成例を示す図である。撮影後、ユーザは、放射線撮影装置１０１をコンソール１１１と接続できる場所へ持ってきて接続する。接続は、有線・無線ＬＡＮや専用のインターフェースを用いて行われる。ユーザは、撮影された放射線画像を、放射線撮影装置１０１からコンソール１１１へ転送する。コンソール１１１は、表示部１１２に放射線画像を表示する。これにより、ユーザは、放射線画像を確認することができる。
【００１６】
また、放射線撮影装置１０１は、バッテリで動作し、バッテリの充電装置１１３と接続される。充電装置１１３は放射線撮影装置１０１から外したバッテリを充電する形態でもよいし、放射線撮影装置１０１ごと接続してバッテリを充電する形態でもよい。また、他の例としては、充電装置１１３がコンソール１１１と接続され、放射線撮影装置１０１は、充電装置１１３と接続することでコンソール１１１と接続されるような形態でもよい。
【００１７】
図２は、放射線撮影装置１０１を示す図である。放射線撮影装置１０１は、コンソール１１１を伴わずに放射線撮影を実施することができる。放射線撮影装置１０１は、電源の供給元としてバッテリ２０１を備える。バッテリ２０１は、放射線撮影装置１０１に内蔵されてもよいし、着脱可能に構成してもよい。入力部２０２は、メカニカルスイッチなどで実現され、放射線撮影装置１０１の電源状態の変更、撮影モードの変更、撮影状態の変更などを操作することができる。これらの操作に対して個別のスイッチを設けてもよいし、スイッチ数の削減や誤操作の防止のために例えば複数のスイッチを同時押しするなどの操作にしてもよい。
【００１８】
撮影用電源部２０３は、バッテリ２０１から供給される電圧から撮影動作部２０４を動作させるのに必要な電源を生成する。撮影動作部２０４は、制御部２０５、放射線センサ部２０６、センサ制御部２０７、画像メモリ２０８、通信部２０９及び状態表示部２１０を有している。制御部２０５は、主たる演算処理装置となるＣＰＵや、機能を補完・補助するＦＰＧＡやＣＰＬＤなどの論理回路、各種機能ＩＣや、メモリ等を有している。
【００１９】
放射線センサ部２０６は、光電変換素子とＴＦＴで構成された画素がマトリクス状に配置され、センサ制御部２０７により走査し蓄積された電荷を読み出して画像データへ変換することで放射線画像を生成する。また、センサ制御部２０７は、放射線センサ部２０６内に流れる電流を検出する機能を備えており、放射線が照射された場合に生じる電流の変化を捉えて放射線の照射開始を検知することが可能である。ここで、放射線センサ部２０６は、撮影部の一例である。
【００２０】
画像メモリ２０８にはＤＲＡＭ（Ｄｙｎａｍｉｃ  Ｒａｎｄｏｍ  Ａｃｃｅｓｓ  Ｍｅｍｏｒｙ）などのアクセス速度の速い揮発性メモリが使用される。他の例としては、画像メモリ２０８に、フラッシュメモリなどの不揮発性メモリを使用してもよい。特にコンソール１１１を伴わない撮影方法を実施する場合は、次の撮影場所に移動する間、または撮影を終了してコンソール１１１がある場所まで移動する間、撮影動作部２０４の電源供給をオフする運用が考えられる。その場合には、撮影用電源部２０３が電源供給しない状態でも画像を保持することが望ましい。このため、画像メモリ２０８は、不揮発性メモリまたは揮発性メモリと不揮発性メモリの併用で構成されることが望ましい。
【００２１】
通信部２０９は、放射線画像をコンソールへ送信するための無線通信インターフェース、有線通信インターフェース、及びこれらのインターフェースの切り換え手段を備える。状態表示部２１０は、ＬＥＤ等の表示器からなり、ユーザに放射線撮影装置１０１の現在の状態を通知するものである。状態は例えば撮影動作部２０４の電源状態、撮影可能な状態、通信の状態などがある。これらの状態をそれぞれ単独の表示器に表示させてもよいし、色や光り方で区別してもよい。また液晶ディスプレイ等の高精細な表示器によって文字で通知してもよいし、音による通知などを併用してもよい。なお、本構成をもってコンソール１１１と接続して放射線撮影を行うことも可能である。
【００２２】
ユーザが撮影を行う場合、放射線撮影装置１０１を持って撮影場所に移動し、まず入力部２０２を操作することにより、撮影用電源部２０３から撮影動作部２０４へ必要な電源を供給する。次に、入力部２０２を操作するによって制御部２０５に指示を与え、センサ制御部２０７を駆動して放射線センサ部２０６を撮影可能な状態に遷移させる。なお、撮影動作部２０４に電源が供給されると、制御部２０５は、放射線センサ部２０６を自動的に撮影可能な状態に遷移させるようにしてもよい。制御部２０５は、撮影可能な状態へ遷移したことを確認できたら、状態表示部２１０で撮影可能な状態であることを通知する。
【００２３】
ユーザは、状態を確認した上で、放射線を照射する。センサ制御部２０７は、放射線の照射開始を検知すると、所定の時間の経過後、放射線センサ部２０６を駆動して蓄積された電荷を読み出して放射線画像を生成し、画像メモリ２０８に記録する。その後は再度撮影が必要であれば、放射線センサ部２０６を撮影可能な状態に遷移させる。この遷移は制御部２０５によって自動的に行われるようにしてもよいし、入力部２０２からの指示によって行われるようにしてもよい。
【００２４】
撮影された放射線画像は画像メモリ２０８に順次記録される。必要な撮影が終了したら、次の撮影場所や、コンソール１１１がある場所に移動する。コンソール１１１と放射線撮影装置１０１が接続されると、通信部２０９を介して画像メモリ２０８からコンソール１１１へ、画像メモリ２０８に記憶された放射線画像が転送される。このとき、制御部２０５は、画像メモリ２０８内のすべての放射線画像を転送することとする。また他の例としては、制御部２０５は、コンソールのＧＵＩなどによってユーザにより選択された放射線画像のみを転送してもよい。制御部２０５は、転送した放射線画像を画像メモリ２０８から消去する。他の例としては、制御部２０５は、転送済みの放射線画像を消去するのに替えて、転送済みであることを示すフラグをセットするなどの処理を行ってもよい。
【００２５】
本実施形態においては、本撮影で画像メモリ２０８に記録できる放射線画像の枚数には上限が設けられている。これは画像メモリ２０８の物理的な記憶容量や、画像メモリ２０８を他の用途と共用することによって生じるものである。画像メモリ２０８の他の用途としては、例えば大量の動作ログデータの記録や放射線センサ部の特性データ、画像補正用データなどの記録が挙げられる。このような上限に基づき、制御部２０５は、画像メモリ２０８に記録されている放射線画像の枚数、または記録可能な放射線画像の枚数を示す情報を撮影情報として、情報記憶部２１１に書き込む。
【００２６】
情報表示部２１２は、情報記憶部２１１から撮影情報を読み出して表示する。情報記憶部２１１及び情報表示部２１２は、撮影用電源部２０３と独立して設けられた表示用電源部２１３から電源を供給される。表示用電源部２１３は、入力部２０２からの指示によらず、バッテリ２０１からの電源供給がある場合は、常に情報記憶部２１１と情報表示部２１２に電源を供給する。情報表示部２１２は、表示用電源部２１３から電源の供給を受け、撮影用電源部２０３がオンの状態及びオフの状態のいずれの場合においても、撮影情報を表示する。
【００２７】
情報表示部２１２に表示される撮影情報は、実施形態に限定されるものではない。撮影情報の他の例としては、バッテリ２０１の残容量、バッテリ２０１の残容量から算出される、放射線撮影装置１０１の稼働時間や、放射線画像の撮影可能枚数が挙げられる。また、他の例としては、放射線撮影装置１０１に生じたエラーや故障状態に関する情報が挙げられる。また、撮影情報は、放射線撮影装置１０１に記録されている放射線画像の枚数と、バッテリ２０１の残容量、というように、複数の情報を含んでいてもよい。
【００２８】
情報表示部２１２は、複数のＬＥＤを有している。また、他の例としては、情報表示部２１２は、より多くの情報を表示できるように７セグメントの表示器や、液晶ディスプレイ等であってもよい。情報表示部２１２はまた、撮影が行えない場合や、撮影が行えなくなる状態に近い場合には、表示色を変えたり点滅させたりして、ユーザに注意を促してもよい。さらに、放射線撮影装置１０１は、不図示の音声出力部を有し、合わせて報知音を出力することにより、ユーザに注意を促してもよい。
【００２９】
情報表示部２１２及び情報記憶部２１１には、撮影用電源部２０３のオンオフに関わらず、常に電源供給されるため、消費電力が低いことが望ましい。そのため、情報表示部２１２は、ＬＥＤ表示を人間が認識できない程度の速さで点灯・消灯を周期的に繰り返すこととしてもよい。また、他の例としては、電子ペーパー等のより省電力な表示器を情報表示部２１２として用いることとしてもよい。
【００３０】
以上のように、本実施形態においては、情報表示部２１２及び情報記憶部２１１には、撮影用電源部２０３のオンオフに関わらず、表示用電源部２１３から常に電源供給される。そして、情報表示部２１２は、常に撮影情報を表示する。したがって、ユーザは、撮影用電源部２０３がオフの状態においても、撮影用電源部２０３の電源をオンすることなく、放射線撮影装置１０１に係る重要な情報を確認することができる。このため、ユーザは移動する前に、撮影ができない、または撮影に不足した状態であることに気づくことができ、時間の損失を防ぐことが可能となる。
【００３１】
なお、本実施形態は、放射線撮影装置１０１とコンソール１１１の間の通信（有線あるいは無線での通信）を不能にした状態で撮影を行う場合について説明したがこの限りではない。放射線撮影装置１０１とコンソール１１１の間の通信が、可能な状態においても実施をしてもよい。
【００３２】
また、放射線撮影装置１０１に設定されている撮影モードに応じて、情報表示部２１２に表示させる情報を切り替える、又は無効にしてもよい。例えば、第一の撮影モードのように、放射線画像を撮影毎に画像メモリ２０８に保存しない場合には、メモリ残容量等の撮影情報をユーザに提示する必要性は低い。そこで、制御部２０５は、第一の撮影モードで撮影を行う場合には、情報表示部２１２への撮影情報の表示は行わないこととしてもよい。
【００３３】
また、放射線撮影装置１０１に外部給電がされている場合には、バッテリ２０１の残容量をユーザに提示する必要性は低い。そこで、制御部２０５は、外部給電が行われている場合には、バッテリ２０１の残容量等の撮影情報の情報表示部２１２への表示は行わないこととしてもよい。また、他の例としては、情報表示部２１２に表示させるか否かをコンソール１１１あるいは入力部２０２からユーザ操作を受け付けたことに応じて切り替え可能としてもよい。放射線撮影装置１０１は、当該表示を切り替え可能な構成とすることで、消費電力と必要な情報の表示を優先すべきかをユーザに選択させることができる。また、放射線撮影装置１０１は、コンソール１１１あるいは入力部２０２からの入力に応じて、当該表示のうち、所望の表示だけを選択的に行うようにしてもよい。
【００３４】
このように、本実施形態に係る放射線撮影システム１００においては、放射線撮影装置１０１は、撮影に必要な情報を適切にユーザに通知することができる。
【００３５】
（第２の実施形態）
次に、第２の実施形態に係る放射線撮影システム１００について説明する。図３は、第２の実施形態に係る放射線撮影装置１０１を示す図である。第２の実施形態に係る放射線撮影装置１０１は、図３を参照しつつ説明した第１の放射線撮影装置１０１の構成に加え、バッテリ２０１と異なる表示用バッテリ３０１を有している。表示用バッテリ３０１は、放射線撮影装置１０１内に常時装着されており、表示用電源部２１３に対してのみ給電を行う。情報表示部２１２及び情報記憶部２１１は、省電力であるように設計されるのが好ましい。情報表示部２１２及び情報記憶部２１１が省電力であることに対応し、表示用バッテリ３０１はバッテリ２０１と比較して小容量のものとすることができる。
【００３６】
図４は、第２の実施形態に係る放射線撮影装置１０１の説明図である。図４（ａ）は、放射線撮影装置１０１にバッテリ２０１が装着されているときの状態を示す図である。バッテリ２０１装着時は、バッテリ２０１から撮影用電源部２０３へ給電が行われる。そして、撮影用電源部２０３は、撮影動作部２０４及び表示用電源部２１３へ電源を供給する。なお、表示用電源部２１３への給電は常時行われるが、撮影動作部２０４への給電は常時ではなく、入力部２０２から入力されるトリガに従う。表示用電源部２１３は、情報表示部２１２及び情報記憶部２１１へ給電を行うとともに、表示用バッテリ３０１へ給電し充電を行う。
【００３７】
図４（ｂ）は、放射線撮影装置１０１にバッテリ２０１が装着されていないときの状態を示す図である。この場合、表示用バッテリ３０１は、表示用電源部２１３に給電を行う。そして、表示用電源部２１３から情報表示部２１２及び情報記憶部２１１に電源が供給される。なお、第２の実施形態に係る放射線撮影システム１００のこれ以外の構成及び処理は、第１の実施形態に係る放射線撮影システム１００の構成及び処理と同様である。
【００３８】
以上のように、第２の実施形態に係る放射線撮影装置１０１は、バッテリ２０１が装着されていない場合には、表示用バッテリ３０１から表示用電源部２１３へ給電を行うことができる。そして、情報表示部２１２は、常に撮影情報を表示する。これにより、放射線撮影装置１０１は、撮影に必要な情報を適切にユーザに通知することができる。
【００３９】
（第３の実施形態）
次に、第３の実施形態に係る放射線撮影システム１００について説明する。図５は、第３の実施形態に係る放射線撮影装置１０１を示す図である。第３の実施形態に係る放射線撮影装置１０１は、図３を参照しつつ説明した第１の放射線撮影装置１０１の構成に加え、検出部５０１を備える。検出部５０１は、加速度センサを有し、加速度センサによって放射線撮影装置１０１が移動したことを検出する。検出部５０１は、情報記憶部２１１及び情報表示部２１２と同様に表示用電源部２１３から電源の供給を受ける。
【００４０】
本実施形態においては、情報表示部２１２は、撮影用電源部２０３が電源オフの状態、すなわち撮影動作部２０４に給電していない状態において、予め定められた条件を満たす場合にのみ、撮影情報の表示を行う。ここで、予め定められた条件は、検出部５０１が放射線撮影装置１０１の移動を検出したことである。一方で、情報表示部２１２は、撮影用電源部２０３が電源オフの状態で、かつ検出部５０１がトリガを検出していない状態では、情報表示部２１２は、撮影情報の表示は行わない。なお、第３の実施形態に係る放射線撮影システム１００のこれ以外の構成及び処理は、他の実施形態に係る放射線撮影装置の構成及び処理と同様である。
【００４１】
以上のように、第３の実施形態に係る放射線撮影装置１０１は、撮影用電源部２０３が電源オフの状態で、かつトリガが検出された場合にのみ、撮影情報を表示する。これにより、無駄に撮影情報を表示することがなく、電力消費を抑えることができる。
【００４２】
なお、第３の実施形態の第１の変更例としては、第３の実施形態に係る放射線撮影装置１０１も、第２の実施形態に係る放射線撮影装置１０１と同様に、バッテリ２０１に加えて、表示用バッテリ３０１を有してもよい。
【００４３】
また、第２の変更例としては、情報表示部２１２が撮影情報の表示を行う場合に参照される条件は実施形態に限定されるものではない。他の例としては、情報表示部２１２は、放射線撮影装置１０１の周囲の人物が検出されたことを条件としてもよい。この場合、検出部５０１は、赤外線センサにより放射線撮影装置１０１の周囲の人物を検出するものとする。そして、情報表示部２１２は、検出部５０１により放射線撮影装置１０１の周囲の人物が検出された場合に、条件を満たすと判定し、撮影情報を表示する。
【００４４】
また、他の例としては、情報表示部２１２は、充電装置１１３から放射線撮影装置１０１が取り外されたことを条件としてもよい。この場合、検出部５０１は、充電装置１１３から放射線撮影装置１０１が取り外されたことを検出するものとする。具体的には、検出部５０１は、充電装置１１３から供給される電源電圧を検出するものとする。そして、情報表示部２１２は、検出部５０１が電圧変化を検出した場合に、条件を満たすと判定し、撮影情報を表示する。なお、充電装置１１３がコンソール１１１と接続された構成の場合には、情報表示部２１２は、コンソール１１１との通信が途絶したことを条件としてもよい。また、他の例としては、情報表示部２１２は、上述の複数の条件のうち少なくとも１つの条件を満たす場合に、撮影情報を表示することとしてもよい。以上のように、情報表示部２１２は、ユーザへの情報表示が必要なタイミングにおいて撮影情報を表示すればよく、表示タイミングを決定するための条件は、実施形態に限定されるものではない。
【００４５】
また、第３の変更例としては、情報表示部２１２は、放射線撮影装置１０１の使用上の問題が発生したことを条件として、撮影情報を表示してもよい。例えば、情報表示部２１２は、残りの撮影枚数が閾値未満になった場合、放射線撮影装置１０１にエラーや故障が起こった場合に、撮影情報を表示してもよい。さらにこれらの場合においては、情報表示部２１２は、使用上の問題に係る情報を撮影情報として表示することとする。
【００４６】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００４７】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００４８】
１０１  放射線撮影装置
２０１  バッテリ
２０３  撮影用電源部
２１１  情報記憶部
２１２  情報表示部
２１３  表示用電源部
【図１】
2017192504.tif 000003
【図２】
2017192504.tif 000004
【図３】
2017192504.tif 000005
【図４】
2017192504.tif 000006
【図５】
2017192504.tif 000007